(57)【特許請求の範囲】
【請求項１】
携帯端末のディスプレイが設けられる端末表面と反対側の端末裏面に沿って着脱自在に取り付けられる板状の基台と、
前記端末裏面に対向する基台裏面と反対側の基台表面に、この基台表面に垂直な回転中心まわりで回転自在に取り付けられる回転板と、
前記基台表面に対向する回転板裏面と反対側の回転板表面に固定され手指から掌部が挿入される環状の保持部と、
前記基台裏面に固定され前記基台裏面に垂直な距離が折り畳みにより可変自在となるアジャスタ部と、
を備える、
ストラップ。
【請求項２】
前記端末裏面の端末中央部に、前記端末裏面に垂直な距離が異なる複数種類のバッテリが取り付け可能であり、
前記バッテリの周囲における一部分に、第１の電子機器が取り付け可能な第１装着部が設けられ、
前記基台は、前記端末中央部に配置される、
請求項１に記載のストラップ。
【請求項３】
前記アジャスタ部は、
前記基台裏面に固定されるベルト被着板と、
前記基台から長尺に延出して略半分に折り返されて前記ベルト被着板に重なる挿通ベルトと、
前記ベルト被着板に重ねられた前記挿通ベルトを挟んで前記ベルト被着板の両側から張り出し、前記挿通ベルトの上に交互に折り重ねられる一対の翼部と、
を備える、
請求項１又は２に記載のストラップ。
【請求項４】
バッテリの周囲の内側で直交する２直線の一方が第１の電子機器を取り付け可能な第１装着部を通り他方が通る前記周囲における他の一部分に、第２の電子機器が取り付け可能な第２装着部が設けられ、
前記第２の電子機器は、前記周囲の周方向である機器側面に操作部を備えるとともに、前記端末裏面の端末中央部に対向する機器下部に孔部を備え、
前記挿通ベルトは、前記孔部に挿通され折り返されて前記ベルト被着板に重ねられる、
請求項３に記載のストラップ。
【請求項５】
前記端末中央部を挟んで前記第２装着部と反対側となる前記携帯端末の端末側面には充電端子が設けられ、
前記基台は、前記充電端子を挟む両側の基台下側角部が、前記充電端子を挟む両側の端末下側隅部に、長さ調節自在なバックル付ベルトでそれぞれ固定される、
請求項４に記載のストラップ。
【請求項６】
前記端末裏面の端末中央部を挟んで第２の電子機器が取り付け可能な第２装着部と反対側となる前記携帯端末の端末側面には、充電端子が設けられ、
前記基台は、前記第２の電子機器を挟む両側の基台上側角部が、前記第２の電子機器を挟む両側の端末上側隅部に、定尺の第１取付紐でそれぞれ固定されるとともに、前記充電端子を挟む両側の基台下側角部が、前記充電端子を挟む両側の端末下側隅部に、長さ調節自在なバックル付ベルトでそれぞれ固定される、
請求項３に記載のストラップ。
【請求項７】
前記基台は、前記第１取付紐を収容する収容部を備える、
請求項６に記載のストラップ。
【請求項８】
前記バックル付ベルトは、
雌バックルと、この雌バックルに結合及び結合解除可能であり長さ調節部を備えた雄バックルと、を有して構成され、
前記雌バックルが前記基台に接続され、前記雄バックルが前記携帯端末に接続される、
請求項５〜７のいずれか一項に記載のストラップ。
【請求項９】
前記雌バックルには第２取付紐が取り付けられ、
前記雌バックルは、前記第２取付紐が、前記基台に形成された貫通孔に挿通されて前記基台裏面に固定されることにより、前記基台表面に配置される、
請求項８に記載のストラップ。
【請求項１０】
前記基台裏面に、前記基台を支持する外部支持部材を取付可能な複数の取付具が固定される、
請求項１〜９のいずれか一項に記載のストラップ。
【請求項１１】
前記基台裏面に、前記基台を支持する外部支持部材を取付可能な複数の取付具が固定され、
前記取付具に、前記第２取付紐が固定される、
請求項９に記載のストラップ。
【発明の詳細な説明】
【技術分野】
【０００１】
本開示は、ストラップに関する。
【背景技術】
【０００２】
携帯端末では、通常電池パックに変えて、大容量電池パックが端末裏面に装着されても、端末裏面に取り付けられる板部が、折り目部で端末裏面の方向に折れ曲がることにより、板部がたわむことのないストラップが知られている（特許文献１参照）。このストラップによれば、把持部が回転自在に取り付けられる板部が平坦な状態を維持できる。
【先行技術文献】
【特許文献】
【０００３】
【特許文献１】特開２０２０−１０２８１２号公報
【発明の概要】
【発明が解決しようとする課題】
【０００４】
携帯端末の端末裏面には、様々なオプション（例えばガジェットなど）が設置され得る。ガジェットは、厚みの異なる複数のものがある。従来では、厚みの異なるガジェットに対応して複数種類のストラップも用意されていたが、部品点数の削減、製品管理の容易化から一種類のストラップで対応したい要請がある。ところが、オプションの厚みによっては、携帯端末の縦向き横向き回転を阻害し得る場合がある。また、例えばオプションが取り付けられなければ、携帯端末に取りつけられるストラップの厚みが過大となり、携帯性を阻害し得る場合がある。これら回転や携帯性を阻害する不都合は、回転自在な把持部が電池装着位置に重ねて取り付けられる場合、薄型の通常電池パックと厚型の大容量電池パックとが交換されると段差が大きくなり、さらに顕著となることがある。
【０００５】
本開示は、上述した従来の状況に鑑みて案出され、様々な電子部品が端末裏面に取り付けられても携帯端末の縦向き横向き回転が阻害されることを抑制でき、ストラップの厚みが過大となることも抑制できるストラップを提供することを目的とする。
【課題を解決するための手段】
【０００６】
本開示の一態様は、携帯端末のディスプレイが設けられる端末表面と反対側の端末裏面に沿って着脱自在に取り付けられる板状の基台と、前記端末裏面に対向する基台裏面と反対側の基台表面に、この基台表面に垂直な回転中心まわりで回転自在に取り付けられる回転板と、前記基台表面に対向する回転板裏面と反対側の回転板表面に固定され手指から掌部が挿入される環状の保持部と、前記基台裏面に固定され前記基台裏面に垂直な距離が折り畳みにより可変自在となるアジャスタ部と、を備える、ストラップを提供する。
【発明の効果】
【０００７】
本開示によれば、様々な電子部品が端末裏面に取り付けられても携帯端末の縦向き横向き回転が阻害されることを抑制でき、ストラップの厚みが過大となることも抑制できる。
【図面の簡単な説明】
【０００８】
【図１】実施の形態１に係るストラップを前方斜め下方向から見た斜視図
【図２】ストラップを前方より見た正面図
【図３】ストラップを上方向から見た平面図
【図４】アジャスタ部の設けられた基台裏面の背面図
【図５】アジャスタ部の翼部が展開された状態の基台裏面の背面図
【図６】挿通ベルトが展開された状態の基台裏面の背面図
【図７】基台表面に固定された雌バックルの要部拡大図
【図８】基台に引き込まれる固定ベルトの側面図
【図９】第１取付紐が引っ掛けられる紐固定金具が固定された収容部の斜視図
【図１０】変形例に係る雌バックルの固定構造を示す要部拡大斜視図
【図１１】基台裏面の貫通孔近傍に固定された取付具の斜視図
【図１２】短尺固定ベルトが逢着される前の要部斜視図
【図１３】携帯端末を裏側から見た斜視図
【図１４】端末本体に対するオプションの第１設置例を示す端末裏面の斜視図
【図１５】端末本体に対するオプションの第２設置例を示す端末裏面の斜視図
【図１６】端末本体に対するオプションの第３設置例を示す端末裏面の斜視図
【図１７】端末本体に対するオプションの第４設置例を示す端末裏面の斜視図
【図１８】端末本体に対するオプションの第５設置例を示す端末裏面の斜視図
【図１９】端末本体に対するオプションの第６設置例を示す端末裏面の斜視図
【図２０】携帯端末に薄型の通常電池パック、バーコードリーダ、ガジェットが装着されたときのストラップの取付例を示し、基台が未固定の状態の斜視図
【図２１】図２０の状態から取り付けが完了したストラップの正面図
【図２２】図２１の斜視図
【図２３】携帯端末に薄型の通常電池パック、ガジェットが装着されたときのストラップの取付例を示し、基台が未固定の状態の斜視図
【図２４】図２３の状態から取り付けが完了したストラップの斜視図
【図２５】前方よりストラップの上側を見た斜視図
【図２６】保持部に掌部が挿入されたストラップを下側から見た下面図
【図２７】携帯端末に薄型の通常電池パックが装着され、ガジェットが装着されないときのストラップの取付例を示し、基台が未固定の状態の斜視図
【図２８】図２７の状態から取り付けが完了したストラップの斜視図
【図２９】図２８を上側から見た斜視図
【図３０】バッテリの種別とガジェットの有無に応じてアジャスタ部の折り畳み状態または展開状態を決定するテーブルの説明図
【図３１】ストラップを装着してクレードルにセットされた携帯端末の側面図
【図３２】ストラップを装着してクレードルにセットされた携帯端末の背面図
【発明を実施するための形態】
【０００９】
以下、適宜図面を参照しながら、本開示に係るストラップを具体的に開示した実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になることを避け、当業者の理解を容易にするためである。なお、添付図面及び以下の説明は、当業者が本開示を十分に理解するために提供されるものであり、これらにより特許請求の範囲に記載の主題を限定することは意図されていない。
【００１０】
図１は、実施の形態１に係るストラップ１１を前方斜め下方向から見た斜視図である。なお、本明細書中の方向は、図に示したＸ軸、Ｙ軸、Ｚ軸に付した矢印の方向にしたがう。ここで、Ｘ方向は右方向、Ｙ方向は上方向、Ｚ方向は前方向を示す。したがって、図示は省略するが−Ｘ方向は左方向、−Ｙ方向は下方向、−Ｚ方向は後方向を示す。また、直交軸の交点に付した点を囲む円は矢印を前から見た方向、直交軸の交点に付したＸを囲む円は矢印を後から見た方向を示す。
【００１１】
実施の形態１に係るストラップ１１は、基台１３と、回転板１５と、保持部１７と、アジャスタ部１９（図４参照）と、を主要な構成として有する。
【００１２】
図２は、ストラップ１１を前方より見た正面図である。
基台１３は、左右方向に長い略長方形の板状となる。基台１３は、皮、合皮、布などからなり、芯材が挟入されたり、縁や主要部位が縫製されたりすることにより補強されている。基台表面２１の中央部分には、上下に渡って長い矩形状の回転板支持機構部２３が逢着されている。回転板支持機構部２３は、基台表面２１に垂直な軸部（図示略）を矩形状の内側に有する。より詳しくは、軸部は、回転板支持機構部２３の矩形状における一対の対角線の交点近傍に配置される。回転板１５は、図２に示す通常位置で左右方向に長い略楕円形状となる。回転板１５は、長軸と短軸の交点近傍が回転中心となる。回転板１５は、回転中心が回転板支持機構部２３の軸部に支持される。これにより、回転板１５は、基台表面２１に垂直な回転中心まわりで３６０度回転自在に取り付けられる。この回転板表面２５には、環状の保持部１７が固定されている。
【００１３】
図３は、ストラップ１１を上方向から見た平面図である。
保持部１７は、左右方向に延在する一対の調整ベルト２７と、ベルトカバー２９と、からなる。一対の調整ベルト２７は、一方の表面と、他方の裏面とに、係着解除可能な面ファスナー３１が設けられる。また、面ファスナー３１は、ベルトカバー２９と調整ベルト２７との間にも設けられる。面ファスナー３１としては、一方にフック状の起毛と、他方にループ状の起毛を設けた例えばマジックテープ（登録商標）やベルクロ（登録商標）を用いることができる。保持部１７は、一対の調整ベルト２７の係着位置を調整し、その上からベルトカバー２９を係着することにより、手指３３（図２６参照）から掌部３５が挿入されるユーザに適した環状サイズに設定される。ストラップ１１は、この保持部１７に掌部３５が挿入され、保持部１７と一体となった回転板１５に対し、基台１３が回転されることにより、基台１３に取り付けられた携帯端末が縦向きや横向きに回転される。
【００１４】
図４は、アジャスタ部１９の設けられた基台裏面３７の背面図である。
基台裏面３７のほぼ中央部分には、折り畳まれて、上下方向に長い状態となったアジャスタ部１９が固定されている。アジャスタ部１９は、基台裏面３７に垂直な距離が折り畳みと展開により可変自在となる。
【００１５】
図５は、アジャスタ部１９の翼部３９が展開された状態の基台裏面３７の背面図である。
アジャスタ部１９は、基台裏面３７に固定されるベルト被着板４１（図６参照）と、基台１３から長尺に延出して略半分に折り返されてベルト被着板４１に係着して重なる挿通ベルト４３と、ベルト被着板４１に重ねられた挿通ベルト４３を挟んでベルト被着板４１の両側から張り出し、挿通ベルト４３の上に交互に折り重ねられて係着する一対の翼部３９と、を備える。一対の翼部３９は、右側の翼部３９の表面に面ファスナー３１の一方が設けられ、左側の翼部３９の裏面に面ファスナー３１の他方が設けられる。これにより、一対の翼部３９は、右側を挿通ベルト４３に重ねた後、さらに左側の翼部３９を重ねることにより、図４に示す上下に長い積層体状となって固定される。
【００１６】
図６は、挿通ベルト４３が展開された状態の基台裏面３７の背面図である。
挿通ベルト４３は、基台１３から上方向へ長尺に延出し、長手方向の略半分が折り返されて、ベルト被着板４１に重ねられる。これらベルト被着板４１と挿通ベルト４３の対向面には、面ファスナー３１の一方と他方とが設けられている。挿通ベルト４３は、後述するオプションとして端末裏面に装着される第２の電子機器（例えばバーコードリーダ）に設けられる孔部に挿通される。ストラップ１１の基台１３は、挿通ベルト４３が、端末裏面に装着されたオプションの孔部に挿通されることにより、１点が端末裏面に支持されることになる。この挿通ベルト４３は、図３に示したように、ベルト基端が、基台表面２１と回転板支持機構部２３との間に挟まれて固定される。
【００１７】
アジャスタ部１９は、基台１３を挟んで回転板支持機構部２３の反対側に設けられている。より詳しくは、アジャスタ部１９は、基台１３を挟んで回転板支持機構部２３の軸部と反対側に配置されている。回転板支持機構部２３とアジャスタ部１９とは、端末裏面に垂直な直線上に配置される。アジャスタ部１９が当接することによる加重は、回転板支持機構部２３の軸部に伝わる。軸部は、回転板支持機構部２３の中央に配置されている。これにより、基台１３は、アジャスタ部１９から受けた押圧力による変形（反り等の歪みも含む）が抑制される。その結果、回転板１５は、基台１３の変形による引っ掛かり等を生じにくくして、携帯端末を円滑に回転させることができる。
【００１８】
図２に示すように、基台１３は、両側の基台下側角部４５に、長さ調節自在なバックル付ベルト４７がそれぞれ固定される。バックル付ベルト４７は、雌バックル４９と、この雌バックル４９に結合及び結合解除可能となる雄バックル５１とからなる。雄バックル５１は、長さ調節部５３を備えている。長さ調節部５３は、結合する雌バックル４９と反対側にベルト余長部５５が引っ張られることにより、長さが調整可能となる。雄バックル５１には、雌バックル４９との結合側と反対側に紐輪５７が固定される。この紐輪５７は、携帯端末に接続される。
【００１９】
図７は、基台表面２１に固定された雌バックル４９の要部拡大図である。
雌バックル４９は、雄バックル５１との結合側と反対側に固定ベルト５９が接続される。基台１３には、固定ベルト５９を挿通する貫通孔６１が形成される。固定ベルト５９は、この貫通孔６１に挿通されて挿通先端側が基台裏面３７で固定される。
【００２０】
図８は、基台１３に引き込まれる固定ベルト５９の側面図である。
雌バックル４９は、固定ベルト５９が貫通孔６１を通過して基台裏面３７で固定されることにより、基台表面２１に固定スペースを確保する必要がなくなる。これによりストラップ１１は、基台表面２１に、回転板１５のより大きな回転スペースが確保可能となっている。
【００２１】
図９は、第１取付紐６３が引っ掛けられる紐固定金具６５が固定された収容部６７の斜視図である。
基台１３は、両側の基台下側角部４５（図２参照）のそれぞれが、上述のバックル付ベルト４７により携帯端末に固定される。これにより、基台１３は、２点が支持されることになる。基台１３は、両側の基台上側角部６９（図２参照）に、図９に示す紐固定金具６５が固定されている。基台上側角部６９は、厚み方向が２枚に剥がれるように面ファスナー３１で接合される。それぞれの基台上側角部６９は、この剥がされた一方の面ファスナー３１に、紐固定金具６５が固定される。両側の基台上側角部６９は、この２枚に剥がれる面ファスナー同士の間が収容部６７となっている。つまり、紐固定金具６５は、この収容部６７に固定されている。
【００２２】
紐固定金具６５は、例えば６の字形に形成され、環状リング部７１がベルト等により面ファスナー３１に固定される。紐固定金具６５は、環状リング部７１に接続するフック部７３に、環状となった定尺の第１取付紐６３が引っ掛けられる。それぞれの第１取付紐６３は、携帯端末の端末上側隅部に固定される。第１取付紐６３は、紐固定金具６５と共に開いた面ファスナー３１の間に配置されて、面ファスナー３１が閉じられることにより、収容部６７に収容が可能となっている。
【００２３】
このように、ストラップ１１は、両側の基台下側角部４５のそれぞれがバックル付ベルト４７により携帯端末に固定され、両側の基台上側角部６９のそれぞれが第１取付紐６３により携帯端末に固定されることで、４点留めされることになる。また、ストラップ１１は、両側の基台下側角部４５のそれぞれがバックル付ベルト４７により携帯端末に固定され、アジャスタ部１９の挿通ベルト４３が、端末裏面に装着された第２の電子機器に掛け留めされることにより、３点留めされることになる。つまり、ストラップ１１は、携帯端末に、３点留めと、４点留めとの２通りで固定が可能となる。
【００２４】
図４に示すように、ストラップ１１は、基台裏面３７に、複数の取付具７５が固定される。取付具７５は、例えば四角枠状の輪金具が、ベルト等により基台裏面３７に固定される。取付具７５は、例えば両側の基台下側角部４５と、左側の基台上側角部６９との合計３箇所に配置される。取付具７５は、基台１３を支持する外部支持部材（肩掛け紐、首かけベルトなど）を取付可能としている。
【００２５】
図１０は、変形例に係る雌バックル４９の固定構造を示す要部拡大斜視図である。
バックル付ベルト４７は、雌バックル４９を第２取付紐７７により基台１３に固定してもよい。この場合も、固定ベルト５９と同様に、基台１３に穿設した貫通孔６１に第２取付紐７７が通される。
【００２６】
図１１は、基台裏面３７の貫通孔近傍に固定された取付具７５の斜視図である。
基台裏面３７における貫通孔６１の近傍には、取付具７５が固定される。取付具７５は、輪金具に短尺固定ベルト７９が通され、この短尺固定ベルト７９が二つ折りされて基台裏面３７に逢着、接着剤などにより固定される。第２取付紐７７は、この輪金具に括り付けられる。
【００２７】
図１２は、短尺固定ベルト７９が逢着される前の要部斜視図である。
短尺固定ベルト７９には、紐貫通孔８１が穿設される。貫通孔６１から導出された第２取付紐７７は、紐貫通孔８１に通され、その先端の輪内に輪金具が通されることにより、輪金具に括り付けられる。第２取付紐７７が括り付けられた輪金具は、短尺固定ベルト７９が二つ折りされて基台裏面３７に逢着、接着剤などにより固定される。
【００２８】
次に、携帯端末について説明する。
【００２９】
図１３は、携帯端末８３を裏側から見た斜視図である。
携帯端末８３は、例えば個人用又は業務用を含み、例えばスマートフォン等の携帯電話、タブレット、デジタルカメラ、携帯型パーソナルコンピュータ、無線機又は決済端末等の電子機器である。携帯端末８３の端末本体８５は、平面視で長方形形状の略板状に形成される。端末本体８５は、図１３では後方となる端末表面に、液晶パネル、タッチパネル等を備えたディスプレイ（図示略）が設けられる。端末本体８５は、厚み方向に二分割された表面側のフロントカバー８７と、背面側のリアカバー８９とが組み合わされてなる。フロントカバー８７、リアカバー８９は、樹脂や金属からなる。
【００３０】
端末裏面９１には、リアカメラ９３が設けられる。リアカメラ９３は、矩形状のカバーガラス９５により覆われる。端末本体８５の右側面には、操作ボタン９７が設けられる。操作ボタン９７としては、例えば電源ボタン９９、ボリュームボタン１０１等が設けられる。また、この他、端末本体８５の下側面には、ＵＳＢポート用の開閉カバー１０３、クレードル用の拡張バスコネクタ（充電端子１０５）の他、図示しないＤＣ入力端子やヘッドセット端子等が配置される。端末裏面９１には、両側の端末下側隅部１０７と、両側の端末上側隅部１０９とに、合計４箇所のストラップ固定部１１１が設けられる。これらのストラップ固定部１１１には、バックル付ベルト４７の雄バックル側に接続された紐輪５７や、紐固定金具６５に掛けられる第１取付紐６３が接続される。
【００３１】
端末裏面９１の端末中央部には、端末裏面９１に垂直な距離が異なる複数種類のバッテリが取り付け可能である。実施の形態において、バッテリは、薄型の通常電池パック１１３（図１４参照）または厚型の大容量電池パック１１５（図１３参照）である。バッテリは、平面視で長方形形状に形成され、厚み方向の一部分が、リアカバー８９に形成されたバッテリ装着開口１１７に挿入されて装着される。リアカバー８９には、バッテリの一方の短辺に沿って係止解除突起１１９、係止ロックボタン１２１が配置される。係止ロックボタン１２１の上側には、リアマイク１２３が配置される。
【００３２】
バッテリの周囲における一部分には、第１の電子機器が取り付け可能な第１装着部１２５が設けられる。実施の形態において、第１の電子機器は、ガジェットと呼ばれるモジュールである。つまり、第１装着部１２５には、ガジェットが着脱可能となる。ガジェットには、厚みの異なる複数種類のものがある。ガジェットとしては、例えばバーコードリーダ、ＵＳＢコネクタ、磁気カードリーダ、接触ＩＣカードリーダ、ＬＡＮコネクタなどが挙げられる。
【００３３】
実施の形態において、周囲の一部分とは、例えばバッテリの右側である。ストラップ１１は、バッテリの配置される端末中央部を覆うようにして基台１３が配置されることになる。ここで、周囲の内側で直交する２直線を仮定する。直交する２直線の一方（直線１２７）は、上述の第１装着部１２５を通る。直交する２直線の他方（直線１２９）は、周囲における他の一部分である第２装着部１３１を通る。実施の形態において、周囲における他の一部分は、バッテリの上側である。第２装着部１３１には、第２の電子機器が取り付け可能となる。第２の電子機器は、主にバーコードリーダ１３３（図１４参照）である。
【００３４】
第１装着部１２５には、一対の左右蓋１３５が取り外し自在に設けられる。第２装着部１３１には、上蓋１３７が取り外し自在に設けられる。携帯端末８３は、背面から見て左側が無線系のエリアであり、右側と上側がオプションエリアである。オプションエリアは、カードリーダ等のオプションを接続可能としている。一対の左右蓋１３５と上蓋１３７とは、これら機能部品やオプションの装着される第１装着部１２５および第２装着部１３１を露出自在として取り付けられている。カードリーダとしては、磁気カードリーダ、接触ＩＣカードリーダ、非接触ＩＣカードリーダライタ等が含まれる。
【００３５】
図１４は、端末本体８５に対するオプションの第１設置例を示す端末裏面９１の斜視図である。
上蓋１３７が外された第２装着部１３１にはバーコードリーダ１３３が取り付けられている。
【００３６】
図１５は、端末本体８５に対するオプションの第２設置例を示す端末裏面９１の斜視図である。
右側の左右蓋１３５が外された第１装着部１２５にはバーコードリーダ１３８が取り付けられている。
【００３７】
図１６は、端末本体８５に対するオプションの第３設置例を示す端末裏面９１の斜視図である。
上蓋１３７が外された第２装着部１３１にはバーコードリーダ１３３が取り付けられ、右側の左右蓋１３５が外された第１装着部１２５には磁気カードリーダ１３９が取り付けられている。
【００３８】
図１７は、端末本体８５に対するオプションの第４設置例を示す端末裏面９１の斜視図である。
上蓋１３７が外された第２装着部１３１にはバーコードリーダ１３３が取り付けられ、右側の左右蓋１３５が外された第１装着部１２５にはＵＳＢコネクタ１４１が取り付けられている。
【００３９】
図１８は、端末本体８５に対するオプションの第５設置例を示す端末裏面９１の斜視図である。
上蓋１３７が外された第２装着部１３１にはバーコードリーダ１３３が取り付けられ、右側の左右蓋１３５が外された第１装着部１２５には接触ＩＣカードリーダ１４３が取り付けられている。
【００４０】
図１９は、端末本体８５に対するオプションの第６設置例を示す端末裏面９１の斜視図である。
上蓋１３７が外された第２装着部１３１にはバーコードリーダ１３３が取り付けられ、右側の左右蓋１３５が外された第１装着部１２５にはＬＡＮコネクタ１４４が取り付けられている。なお、第１装着部１２５および第２装着部１３１に装着されるオプションの組み合わせは、図１４〜図１９に例示した組み合わせに限られず、他の組み合わせであっても勿論よい。
【００４１】
次に、ストラップ１１の取付方におけるバリエーションの一例を説明する。
【００４２】
図２０は、携帯端末８３に薄型の通常電池パック１１３、バーコードリーダ１３３、ガジェットが装着されたときのストラップ１１の取付例を示し、基台１３が未固定の状態の斜視図である。
この例では、ストラップ１１は、バーコードリーダ１３３の孔部１４５に挿通ベルト４３が挿通される。アジャスタ部１９は、折り畳まれた状態で使用される。両側の端末下側隅部１０７におけるストラップ固定部１１１には、雌バックル４９と結合解除された雄バックル５１の紐輪５７が括り付けられている。
【００４３】
図２１は、図２０の状態から取り付けが完了したストラップ１１の正面図である。
ストラップ１１は、図２０の状態から基台１３が端末中央部に重ねられ、基台１３に固定されている雌バックル４９に、左右の雄バックル５１が結合される。携帯端末８３は、端末中央部を挟んで第２装着部１３１と反対側となる携帯端末８３の端末側面に、充電端子１０５が設けられる。基台１３は、充電端子１０５を挟む両側の基台下側角部４５が、充電端子１０５を挟む両側の端末下側隅部１０７に、長さ調節自在なバックル付ベルト４７でそれぞれ固定される。
【００４４】
バックル付ベルト４７は、雄バックル５１と雌バックル４９が結合された後、雄バックル５１のベルト余長部５５が基台１３と反対側（外側）に引っ張られることにより、アジャスタ部１９がバッテリに接触した正規の位置に固定される。これにより、ストラップ１１は、３点留めによる装着が完了する。
【００４５】
図２２は、図２１の斜視図である。
ストラップ１１は、３点留めによる装着時、基台１３の上縁中央部がバーコードリーダ１３３の孔部１４５に通した挿通ベルト４３により固定される。バーコードリーダ１３３は、周囲の周方向である機器側面に操作部１４７を備える。また、バーコードリーダ１３３は、端末中央部に対向する機器下部に孔部１４５を備え、挿通ベルト４３は、孔部１４５に挿通され折り返されてベルト被着板４１に重ねられる。これにより、ストラップ１１は、バーコードリーダ１３３の機器側面に設けられる操作部１４７が、２本の第１取付紐６３を両側の端末上側隅部１０９に留める場合（すなわち、４点留めの場合）に比べ、第１取付紐６３が邪魔にならず、操作しにくくならない。
【００４６】
図２３は、携帯端末８３に薄型の通常電池パック１１３、ガジェットが装着されたときのストラップ１１の取付例を示し、基台１３が未固定の状態の斜視図である。
この例では、ストラップ１１は、両側の基台上側角部６９における収容部６７に収納された第１取付紐６３が使用される。アジャスタ部１９は、折り畳まれた状態で使用される。第１取付紐６３は、両側の基台上側角部６９における収容部６７に固定された紐固定金具６５に掛けられる。紐固定金具６５に掛けられた第１取付紐６３は、両側の端末上側隅部１０９におけるストラップ固定部１１１に通された後、再び紐固定金具６５に戻されて掛けられる。第１取付紐６３が掛けられた紐固定金具６５は、２枚の面ファスナー３１で挟まれて紐の離脱が規制される。
【００４７】
図２４は、図２３の状態から取り付けが完了したストラップ１１の斜視図である。
両側の端末下側隅部１０７におけるストラップ固定部１１１には、雌バックル４９と結合された雄バックル５１の紐輪５７が括り付けられている。バックル付ベルト４７は、雄バックル５１と雌バックル４９が結合された後、雄バックル５１のベルト余長部５５が基台１３と反対側（外側）に引っ張られることにより、アジャスタ部１９がバッテリに接触した正規の位置に固定される。これにより、ストラップ１１は、４点留めによる装着が完了する。
【００４８】
図２５は、前方よりストラップ１１の上側を見た斜視図である。
ストラップ１１は、基台表面２１が、ガジェットとほぼ面一となる。基台表面２１には、回転板支持機構部２３を介して回転板１５が設けられ、さらに回転板表面２５に、掌部３５の挿入される保持部１７が設けられる。
【００４９】
図２６は、保持部１７に掌部３５が挿入されたストラップ１１を下側から見た下面図である。
図２０〜図２５は、アジャスタ部１９が折り畳まれた状態での使用例を示した。この使用例では、ガジェットが取り付けられても、折り畳まれたアジャスタ部１９により基台１３が端末裏面９１から離間する。すなわち、基台１３がガジェットよりも高い位置となるので、回転板１５により携帯端末８３が回転されても、保持部１７に挿入された手指３３がガジェットに干渉しにくくなる。
【００５０】
図２７は、携帯端末８３に薄型の通常電池パック１１３が装着され、ガジェットが装着されないときのストラップ１１の取付例を示し、基台１３が未固定の状態の斜視図である。
この例では、ストラップ１１は、両側の基台上側角部６９における収容部６７に収納された第１取付紐６３が使用される。アジャスタ部１９は、一対の翼部３９が開いた展開状態で使用される。第１取付紐６３は、両側の基台上側角部６９における収容部６７に固定された紐固定金具６５に掛けられる。紐固定金具６５に掛けられた第１取付紐６３は、両側の端末上側隅部１０９におけるストラップ固定部１１１に通された後、再び紐固定金具６５に戻されて掛けられる。第１取付紐６３が掛けられた紐固定金具６５は、２枚の面ファスナー３１で挟まれる。
【００５１】
図２８は、図２７の状態から取り付けが完了したストラップ１１の斜視図である。
両側の端末下側隅部１０７におけるストラップ固定部１１１には、雌バックル４９と結合解除された雄バックル５１の紐輪５７が括り付けられている。この雄バックル５１が、両側の基台下側角部４５に固定される雌バックル４９に結合される。バックル付ベルト４７は、雄バックル５１と雌バックル４９が結合された後、雄バックル５１のベルト余長部５５が基台１３と反対側（外側）に引っ張られることにより、アジャスタ部１９がバッテリに接触した正規の位置に固定される。これにより、ストラップ１１は、４点留めによる装着が完了する。
【００５２】
図２９は、図２８を上側から見た斜視図である。
ストラップ１１は、基台表面２１が、左右蓋１３５より若干浮上した位置に配置される。基台表面２１には、回転板支持機構部２３を介して回転板１５が設けられ、さらに回転板表面２５に、掌部３５の挿入される保持部１７が設けられる。
【００５３】
図３０は、バッテリの種別とガジェットの有無に応じてアジャスタ部１９の折り畳み状態または展開状態を決定するテーブルの説明図である。
ストラップ１１は、ガジェットが無い場合、薄型の通常電池パック１１３および厚型の大容量電池パック１１５の装着時のいずれにおいても、展開状態で使用される。
ストラップ１１は、ガジェットが有る場合、薄型の通常電池パック１１３の装着時には、折り畳み状態で使用され、厚型の大容量電池パック１１５の装着時には、展開状態で使用される。
【００５４】
次に、上記した構成の作用を説明する。
【００５５】
実施の形態に係るストラップ１１は、携帯端末８３のディスプレイが設けられる端末表面と反対側の端末裏面９１に沿って着脱自在に取り付けられる板状の基台１３と、端末裏面９１に対向する基台裏面３７と反対側の基台表面２１に、この基台表面２１に垂直な回転中心まわりで回転自在に取り付けられる回転板１５と、基台表面２１に対向する回転板裏面と反対側の回転板表面２５に固定され手指３３から掌部３５が挿入される環状の保持部１７と、基台裏面３７に固定され基台裏面３７に垂直な距離が折り畳みにより可変自在となるアジャスタ部１９と、を備える。
【００５６】
実施の形態に係るストラップ１１では、端末裏面９１に取り付けるための基台１３が備えられる。ストラップ１１は、基台表面２１に、回転板１５が回転自在に取り付けられ、回転板表面２５に、手指３３から掌部３５が挿入される保持部１７が固定される。したがって、ユーザは、保持部１７に掌部３５を挿入した図２６に示す状態で、保持部１７と一体の回転板１５に対し、端末裏面９１に取り付けられた基台１３が相対的に回転することにより、携帯端末８３を縦向きや横向きに回転できる。
【００５７】
基台１３の取り付けられる端末裏面９１には、様々なオプションが設置される。オプションは、厚みの異なる複数のものがある。
【００５８】
そこで、ストラップ１１では、端末裏面９１へ取り付けられる基台裏面３７に、アジャスタ部１９が固定されている。アジャスタ部１９は、基台裏面３７に垂直な距離が折り畳みにより可変自在となる。すなわち、折り畳んだ状態では、厚くなることにより、端末裏面９１と基台裏面３７との距離を離間させ、展開した状態では、重なりが少なくなり薄厚となることにより、端末裏面９１と基台裏面３７との距離を接近させることができる。
【００５９】
これにより、ストラップ１１は、アジャスタ部１９を用いてストラップ１１の厚みを調整して、携帯端末８３に様々な厚みのオプションが設置されても、携帯端末８３の縦向き横向きの回転が阻害されることを抑制できる。また、ストラップ１１を厚くすることが不要である場合には、アジャスタ部１９を展開して薄くできるので、ストラップ１１の厚みが過大となることを抑制できる。
【００６０】
図３１は、ストラップ１１を装着してクレードル１４９にセットされた携帯端末８３の側面図である。
アジャスタ部１９を展開して薄くしたストラップ１１では、厚みが過大となることを抑制できるので、背合わせで複数台の携帯端末８３をセットするタイプのクレードル１４９においても背合わせの携帯端末８３にストラップ１１が干渉せず、支障なく充電を行うことができる。
【００６１】
ストラップ１１は、端末裏面９１の端末中央部に、端末裏面９１に垂直な距離が異なる複数種類のバッテリが取り付け可能であり、バッテリの周囲における一部分に、第１の電子機器（ガジェット）が取り付け可能な第１装着部１２５が設けられ、基台１３は、端末中央部に配置される。
【００６２】
このストラップ１１では、端末裏面９１の端末中央部に、端末裏面９１に垂直な距離が異なる複数種類のバッテリが取り付けられる。バッテリの周囲における一部分には、ガジェットが取り付け可能な第１装着部１２５が設けられる。ここで、「周」とは、バッテリを囲む閉じた曲線または折線である。「バッテリの周囲」とは、バッテリのまわりである。「バッテリのまわり」とは、バッテリを囲む環状領域である。したがって、例えば四角形の端末裏面９１に、四角形のバッテリが配置される場合、環状領域は、バッテリまわりの四角枠状の領域となる。
【００６３】
オプションであるガジェットは、端末裏面９１において、基台１３の周囲に設けられた第１装着部１２５に装着される。回転板１５および保持部１７は、ほぼ基台外形の内側で回転する。一方、保持部１７から突出した手指３３は、基台１３の周囲に配置されたガジェットが、端末裏面９１から大きく突出するものである場合、携帯端末８３を縦向きや横向きに回転する途中でオプションに接近する。
【００６４】
ストラップ１１では、ガジェットが、端末裏面９１から大きく突出するものである場合（換言すれば、バッテリ表面と電子機器表面の厚みとの段差が大きい場合）には、アジャスタ部１９を折畳状態として嵩上げし、携帯端末８３の回転時にガジェットに手が当たらないようにでき、回転を阻害することを抑制できる。
【００６５】
基台１３は、端末裏面９１のバッテリに重なる位置で取り付けられるので、薄型のバッテリ（通常電池パック１１３）に変えて、厚型のバッテリ（大容量電池パック１１５）が装着されると、端末裏面９１と基台裏面３７との距離が離間する。この場合、アジャスタ部１９を展開することにより、端末裏面９１と基台裏面３７との距離を接近させて、端末裏面９１からストラップ１１が過大に突出することも抑制できる。
【００６６】
このように、ストラップ１１では、端末裏面９１から大きく突出するガジェットの場合には、アジャスタ部１９を折り畳み、手指３３とガジェットとを離間させることができる。また、突出しないガジェットの場合には、アジャスタ部１９を展開して重なりをなくすことにより、携帯端末８３の縦向き横向き回転を阻害しない状態まで、端末裏面９１から突出する厚みを小さくでき、厚みが過大となることを抑制できる。
【００６７】
アジャスタ部１９は、基台裏面３７に固定されるベルト被着板４１と、基台１３から長尺に延出して略半分に折り返されてベルト被着板４１に重なる挿通ベルト４３と、ベルト被着板４１に重ねられた挿通ベルト４３を挟んでベルト被着板４１の両側から張り出し、挿通ベルト４３の上に交互に折り重ねられる一対の翼部３９と、を備える。
【００６８】
このストラップ１１では、基台裏面３７に、アジャスタ部１９の構成部材となるベルト被着板４１が固定される。このベルト被着板４１には、基台１３から延出してアジャスタ部１９の構成部材となる長尺の挿通ベルト４３が、略半分に折り返されて重ねられる。ベルト被着板４１には、ベルト被着板４１に折り返されて重ねられた挿通ベルト４３を挟む両側から張り出す一対の翼部３９が形成される。この一対の翼部３９は、ベルト被着板４１に重ねられた挿通ベルト４３の上に交互に折り重ねられる。アジャスタ部１９は、翼部３９を左右２枚とすることで、厚い部材を一度で畳む構造に対し、折り畳み時と展開時との双方で左右上下に対称形状を維持することができる。
【００６９】
アジャスタ部１９は、基台裏面３７のベルト被着板４１と、ベルト被着板４１に重ねられる挿通ベルト４３と、挿通ベルト４３の上に交互に重ねられる一対の翼部３９と、の合計４層の重ね厚を得ることができる。そして、一対の翼部３９を開くことにより、この重ね厚を半減させることができる。このアジャスタ部１９では、簡単に展開状態、折畳状態にでき、他部材を使用することなく、ストラップ１１の厚みを容易に調整できる。
【００７０】
ストラップ１１は、周囲の内側で直交する２直線の一方（直線１２７）が第１装着部１２５を通り他方（直線１２９）が通る周囲における他の一部分に、第２の電子機器（バーコードリーダ１３３）が取り付け可能な第２装着部１３１が設けられ、第２の電子機器は、周囲の周方向である機器側面に操作部１４７を備えるとともに、端末中央部に対向する機器下部に孔部１４５を備え、挿通ベルト４３は、孔部１４５に挿通され折り返されてベルト被着板４１に重ねられる。
【００７１】
このストラップ１１では、バッテリ周囲の内側で直交する２直線の一方（直線１２７）が第１装着部１２５を通り他方（直線１２９）が通る周囲における他の一部分に、第２装着部１３１が設けられる。つまり、第２装着部１３１は、端末裏面９１の第１装着部１２５の位置から周方向に９０度回転した位置に配置される。
【００７２】
第２装着部１３１に取り付けられるバーコードリーダ１３３は、周囲の周方向である機器側面に操作部１４７を備え、端末中央部に対向する機器下部に孔部１４５を備える。この孔部１４５には、アジャスタ部１９の挿通ベルト４３が通される。孔部１４５に通された挿通ベルト４３は、折り返されてベルト被着板４１に重ね付けられる。
【００７３】
これにより、ストラップ１１は、取付紐を別途用いずに、挿通ベルト４３を孔部１４５に通し、端末裏面９１に装着されたバーコードリーダ１３３を介し端末裏面９１に１箇所（１点）が取り付けできる。挿通ベルト４３は、バーコードリーダ１３３から端末中央部に向かって直線的に延びるので、バーコードリーダ１３３の機器側面にボタン等の操作部１４７があっても、操作の邪魔にならない。よって、ストラップ１１は、バーコードリーダ１３３の操作性を低下させずに、端末裏面９１に取り付けできる。
【００７４】
ストラップ１１は、端末中央部を挟んで第２装着部１３１と反対側となる携帯端末８３の端末側面には充電端子１０５が設けられ、基台１３は、充電端子１０５を挟む両側の基台下側角部４５が、充電端子１０５を挟む両側の端末下側隅部１０７に、長さ調節自在なバックル付ベルト４７でそれぞれ固定される。
【００７５】
このストラップ１１では、挿通ベルト４３をバーコードリーダ１３３の孔部１４５に通して固定する。また、一対のバックル付ベルト４７を用いて、両側の基台下側角部４５を両側の端末下側隅部１０７に固定する。これにより、ストラップ１１を携帯端末８３に３点留めできる。
【００７６】
この３点留めにおいて、挿通ベルト４３は、アジャスタ部１９の一部を構成する部材となっている。このため、ストラップ１１は、アジャスタ部１９の構成部材を流用して１点を留めることができ、端末裏面９１の第２装着部１３１に基台１３を取り付けるための取付紐等が不要となる。
【００７７】
また、バックル付ベルト４７は、長さが可変である一方、挿通ベルト４３はベルトの長さが固定である。ストラップ１１は、薄型の通常電池パック１１３の装着時に、バックル付ベルト４７の長さを設定すると、厚型の大容量電池パック１１５の装着時にバックル付ベルト４７の長さが長く設定し直される。
【００７８】
図３２は、ストラップ１１を装着してクレードル１４９にセットされた携帯端末８３の背面図である。
この際、ストラップ１１は、バーコードリーダ１３３に固定された挿通ベルト４３の長さは変わらないので、充電端子１０５から離れる方向に移動する。すなわち、ストラップ１１は、薄型の通常電池パック１１３と厚型の大容量電池パック１１５との交換により、基台１３等の位置に変位が生じても、充電端子１０５から離れるＹ方向（すなわち、上方向）の変位となる。これにより、ストラップ１１は、携帯端末８３がクレードル１４９にセットされた際、クレードル１４９にストラップ１１が干渉することによる携帯端末８３の充電不良を回避できる。
【００７９】
ストラップ１１は、端末中央部を挟んで第２装着部１３１と反対側となる携帯端末８３の端末側面には充電端子１０５が設けられ、基台１３は、バーコードリーダ１３３を挟む両側の基台上側角部６９が、バーコードリーダ１３３を挟む両側の端末上側隅部１０９に、定尺の第１取付紐６３でそれぞれ固定されるとともに、充電端子１０５を挟む両側の基台下側角部４５が、充電端子１０５を挟む両側の端末下側隅部１０７に、長さ調節自在なバックル付ベルト４７でそれぞれ固定される。
【００８０】
このストラップ１１では、一対の定尺の第１取付紐６３を用いて、バーコードリーダ１３３を挟む両側の基台上側角部６９が、両側の端末上側隅部１０９にそれぞれ固定される。そして、一対のバックル付ベルト４７を用いて、充電端子１０５を挟む両側の基台下側角部４５が、両側の端末下側隅部１０７に固定される。これにより、ストラップ１１を携帯端末８３に４点留めできる。
【００８１】
この場合においても、バックル付ベルト４７は、長さが可変であり、第１取付紐６３は長さが固定である。ストラップ１１は、薄型の通常電池パック１１３の装着時に、バックル付ベルト４７の長さを設定すると、厚型の大容量電池パック１１５の装着時にバックル付ベルト４７の長さが長く設定し直される。
【００８２】
この際、ストラップ１１は、端末上側隅部１０９に固定された第１取付紐６３の長さは変わらないので、充電端子１０５から離れる方向に変位する。すなわち、ストラップ１１は、薄型の通常電池パック１１３と厚型の大容量電池パック１１５との交換により、変位が生じても、充電端子１０５から離れる方向の変位となる。これにより、ストラップ１１は、上述と同様に、充電端子１０５を接続したクレードル１４９に、ストラップ１１が干渉することによる携帯端末８３の充電不良を回避できる。
【００８３】
基台１３は、第１取付紐６３を収容する収容部６７を備える。
【００８４】
このストラップ１１では、第１取付紐６３の不使用時、すなわち、挿通ベルト４３の使用時、第１取付紐６３が基台１３の収容部６７に収容され、持ち運び時に、ストラップ１１をコンパクトにでき、携帯性を向上させることができる。また、第１取付紐６３を常にストラップ１１と一体に保管できるので、第１取付紐６３の紛失を防止できる。
【００８５】
バックル付ベルト４７は、雌バックル４９と、この雌バックル４９に結合及び結合解除可能であり長さ調節部５３を備えた雄バックル５１と、を有して構成され、雌バックル４９が基台１３に接続され、雄バックル５１が携帯端末８３に接続される。
【００８６】
このストラップ１１では、バックル付ベルト４７が、雌バックル４９と雄バックル５１とを結合して一体に構成される。バックル付ベルト４７は、雌バックル４９と雄バックル５１との結合を解除することで二分割可能となる。ここで、雌バックル４９は基台１３に接続され、長さ調節部５３を備える雄バックル５１は携帯端末８３に接続される。バックル付ベルト４７は、雌バックル４９と雄バックル５１とが結合されることにより、雌バックル４９が接続される基台下側角部４５と、雄バックル５１が接続される端末下側隅部１０７とを連結する。
【００８７】
バックル付ベルト４７は、基台下側角部４５と端末下側隅部１０７とを連結した状態において、雄バックル５１が、端末下側隅部１０７に近い位置に配置される。これにより、雄バックル５１は、ベルト余長部５５を、ストラップ１１の基台１３から離れる方向、すなわち、外側に引っ張ることで、緩み調整が可能となる。
【００８８】
これにより、ストラップ１１は、緩み調整が、ベルト余長部５５を外側に引っ張って行えるので、内側にベルト余長部５５を引っ張るスペースを確保する必要がなくなる。換言すれば、基台１３や回転板１５、保持部１７が、内側に引っ張られるベルト余長部５５に干渉しなくなる。その結果、ストラップ１１は、内側に回転板１５の回転スペースを広く確保でき、回転板１５のスムーズな回転を実現できる。また、ベルト余長部５５を外側に引っ張るので、例えば端末裏面９１にオプションを多数配置可能にするため、端末中央部にベルト調整スペースが確保できない場合であっても、ベルト調整の操作性が維持でき、緩み調整が容易に可能となる。
【００８９】
雌バックル４９には第２取付紐７７が取り付けられ、雌バックル４９は、第２取付紐７７が、基台１３に形成された貫通孔６１に挿通されて基台裏面３７に固定されることにより、基台表面２１に配置される。
【００９０】
このストラップ１１では、雌バックル４９がベルトにより基台１３に取り付けられている場合に比べ、雌バックル４９が第２取付紐７７により基台１３に取り付けられるので、雌バックル４９の移動の自由度を増大できる。よって、携帯端末８３を回転させようとしたとき、バックルにかかる基台１３からの反力による負荷を低減でき、雌バックル４９と雄バックル５１とが意図しない外力により外れることを抑制できる。
またベルトにより雌バックル４９の移動の自由度を確保するには、貫通孔６１から十分な距離をとった位置に雌バックル４９を配置する必要がある。これに対し第２取付紐７７を用いた場合、貫通孔６１からの距離を最小限にすることができ、携帯端末用としてコンパクトな構成を実現できる。
【００９１】
ストラップ１１は、基台裏面３７に、基台１３を支持する外部支持部材を取付可能な複数の取付具７５が固定される。
【００９２】
このストラップ１１では、アジャスタ部１９が基台裏面３７に設けられていることにより、端末裏面９１と基台裏面３７との間に隙間が生じる。よって、取付具７５を設けるスペースを確保でき、基台裏面３７に取付具７５を設置できる。これにより、隙間への基台１３の撓みを抑制し、基台表面２１にある回転板１５の回転をスムーズにしつつ、外部支持部材により、ストラップ１１を介して携帯端末８３を支持することができる。
【００９３】
基台裏面３７に、基台１３を支持する外部支持部材を取付可能な複数の取付具７５が固定され、取付具７５に、第２取付紐７７が固定される。
【００９４】
このストラップ１１では、外部支持部材を取り付けるために基台裏面３７に設けられた取付具７５に、基台表面２１に配置される雌バックル４９に接続された第２取付紐７７が、貫通孔６１を通って基台裏面３７の取付具７５に固定される。よって、取付具７５の固定と同時に、雌バックル４９に接続される第２取付紐７７も固定でき、固定部品の増加を抑制できる。
【００９５】
したがって、実施の形態に係るストラップ１１によれば、様々な電子部品が端末裏面９１に取り付けられても携帯端末８３の縦向き横向き回転が阻害されることを抑制でき、ストラップ１１の厚みが過大となることも抑制できる。
【産業上の利用可能性】
【００９６】
本開示は、様々な電子部品が端末裏面に取り付けられても携帯端末の縦向き横向き回転が阻害されることを抑制でき、ストラップの厚みが過大となることも抑制できるストラップ等に有用である。
【符号の説明】
【００９７】
１１  ストラップ
１３  基台
１５  回転板
１７  保持部
１９  アジャスタ部
２１  基台表面
２５  回転板表面
３３  手指
３５  掌部
３７  基台裏面
３９  翼部
４１  ベルト被着板
４３  挿通ベルト
４５  基台下側角部
４７  バックル付ベルト
４９  雌バックル
５１  雄バックル
５３  長さ調節部
６１  貫通孔
６３  第１取付紐
６７  収容部
６９  基台上側角部
７５  取付具
７７  第２取付紐
８３  携帯端末
９１  端末裏面
１０５  充電端子
１０７  端末下側隅部
１０９  端末上側隅部
１１３  薄型の通常電池パック（バッテリ）
１１５  厚型の大容量電池パック（バッテリ）
１２５  第１装着部
１２７  直線（２直線の一方）
１２９  直線（２直線の他方）
１３１  第２装着部
１３３  バーコードリーダ（第２の電子機器）
１３９  磁気カードリーダ（第１の電子機器）
１４５  孔部
１４７  操作部
【要約】
【課題】様々な電子部品が端末裏面に取り付けられても携帯端末の縦向き横向き回転が阻害されることを抑制でき、ストラップの厚みが過大となることも抑制できるストラップを提供する。
【解決手段】ストラップ１１は、携帯端末８３のディスプレイが設けられる端末表面と反対側の端末裏面９１に沿って着脱自在に取り付けられる板状の基台１３と、端末裏面９１に対向する基台裏面３７と反対側の基台表面２１に、この基台表面２１に垂直な回転中心まわりで回転自在に取り付けられる回転板と、基台表面２１に対向する回転板裏面と反対側の回転板表面に固定され手指３３から掌部３５が挿入される環状の保持部１７と、基台裏面３７に固定され基台裏面３７に垂直な距離が折り畳みにより可変自在となるアジャスタ部１９と、を備える。
【選択図】図２６【図１】
0006941791.tif 000002
【図２】
0006941791.tif 000003
【図３】
0006941791.tif 000004
【図４】
0006941791.tif 000005
【図５】
0006941791.tif 000006
【図６】
0006941791.tif 000007
【図７】
0006941791.tif 000008
【図８】
0006941791.tif 000009
【図９】
0006941791.tif 000010
【図１０】
0006941791.tif 000011
【図１１】
0006941791.tif 000012
【図１２】
0006941791.tif 000013
【図１３】
0006941791.tif 000014
【図１４】
0006941791.tif 000015
【図１５】
0006941791.tif 000016
【図１６】
0006941791.tif 000017
【図１７】
0006941791.tif 000018
【図１８】
0006941791.tif 000019
【図１９】
0006941791.tif 000020
【図２０】
0006941791.tif 000021
【図２１】
0006941791.tif 000022
【図２２】
0006941791.tif 000023
【図２３】
0006941791.tif 000024
【図２４】
0006941791.tif 000025
【図２５】
0006941791.tif 000026
【図２６】
0006941791.tif 000027
【図２７】
0006941791.tif 000028
【図２８】
0006941791.tif 000029
【図２９】
0006941791.tif 000030
【図３０】
0006941791.tif 000031
【図３１】
0006941791.tif 000032
【図３２】
0006941791.tif 000033